(57)【要約】【課題】的確にプリオンタンパク質を検出し得るプリオンタンパク質遺伝子発現の検出方法、検出用キット、検出用装置、プリオン病の治療に有用なプリオンタンパク質発現の抑制剤、プリオン病の予防および／または治療薬、治療方法、ならびに、抑制方法の提供。【解決手段】ヒトまたは動物由来組織中のグリセルアルデヒド−３−リン酸デヒドロゲナーゼ（ＧＡＰＤＨ）の酸性アイソフォーム（ａｃｉｄｉｃ　ｉｓｏｆｏｒｍ）および塩基性アイソフォーム（ｂａｓｉｃ　ｉｓｏｆｏｒｍ）を検出する工程を含むことを特徴とするプリオンタンパク質遺伝子発現の検出方法。ＧＡＰＤＨの塩基性アイソフォームを増加させ、および／または酸性アイソフォームを減少させることを特徴とするプリオンタンパク質発現の抑制剤。当該抑制剤を含む予防および／または治療薬。【選択図】　なし【特許請求の範囲】
【請求項１】
ヒトまたは動物由来組織中のグリセルアルデヒド−３−リン酸デヒドロゲナーゼ（ＧＡＰＤＨ）の酸性アイソフォームおよび塩基性アイソフォームの検出工程を含むことを特徴とするプリオンタンパク質遺伝子発現の検出方法。
【請求項２】
前記検出工程が、ヒトまたは動物由来組織から得られる被検細胞より核タンパク質を分画し、当該核タンパク質を二次元電気泳動にかけた後、ウェスタンブロット法により検出を行う工程であることを特徴とする請求項１に記載の検出方法。
【請求項３】
請求項１又は２に記載の検出方法に用いられるキットであって、少なくとも抗ＧＡＰＤＨ抗体を含むことを特徴とする検出用キット。
【請求項４】
ＧＡＰＤＨの酸性アイソフォームおよび塩基性アイソフォームを検出するための試薬であって、抗ＧＡＰＤＨ抗体を含むことを特徴とするプリオンタンパク質遺伝子発現の検出のための検出試薬。
【請求項５】
請求項１又は２に記載の検出方法に用いられる装置であって、ＧＡＰＤＨの酸性アイソフォームおよび塩基性アイソフォームを検出するための二次元電気泳動装置および／またはブロッティング装置を含むことを特徴とする検出用装置。
【請求項６】
ヒトまたは動物由来組織中のＧＡＰＤＨの酸性アイソフォームを減少させ、および／または塩基性アイソフォームを増加させることを特徴とするプリオンタンパク質遺伝子発現の抑制剤。
【請求項７】
ＧＡＰＤＨのアンチセンス薬剤を有効成分とすることを特徴とする請求項６に記載の抑制剤。
【請求項８】
デプレニルを有効成分とすることを特徴とする請求項６に記載の抑制剤。
【請求項９】
請求項６〜８のいずれか１項に記載の抑制剤を含むことを特徴とするプリオン病の予防および／または治療薬。
【請求項１０】
プリオン病発症遅延薬であることを特徴とする請求項９に記載のプリオン病の予防および／または治療薬。
【請求項１１】
請求項９または１０に記載のプリオン病の予防および／または治療薬を用いた治療方法。
【請求項１２】
ＧＡＰＤＨの酸性アイソフォームおよび／または塩基性アイソフォームの量を調節することを特徴とするプリオンタンパク質発現の抑制方法。
【発明の詳細な説明】
【０００１】
【産業上の利用分野】
本発明は、プリオンタンパク質遺伝子発現の検出方法、検出用キット、検出試薬、検出用装置、プリオンタンパク質遺伝子発現の抑制剤、プリオン病予防および／または治療薬、治療方法、ならびに、抑制方法に関する。
【０００２】
【発明の技術的背景】
プリオン病は、異常型プリオンタンパク質（ＰｒＰＳｃ）が脳に蓄積することにより生じる神経変性疾患である。プリオン病は、ヒトの疾病としては、たとえばクロイツフェルト・ヤコブ病、ゲルストマン・ストロイスラー・シャインカー病、致死性家族性不眠症などが知られており、また、牛では、牛海綿状脳症（狂牛病）などが知られている。
【０００３】
現在、プリオン病は、異常型プリオンタンパク質が体内に入り、もともと脳に発現している正常型プリオンタンパク質（ＰｒＰｃ）を異常型に変え、異常型プリオンタンパク質が脳に蓄積することで、脳の神経組織などを破壊するために引き起こされると考えられている。しかしながら、プリオン病の詳しい感染のメカニズムについては、未だ不明である。
【０００４】
プリオン病は、治療が非常に困難であり、いまだ決定的な治療法が見つかっていない。したがって、プリオン病の治療法および発病の未然防止法の開発が、現在、緊急の課題となっている。
【０００５】
【発明が解決しようとする課題】
本発明は、このような課題を解決しようとするものであり、的確にプリオンタンパク質遺伝子の発現を検出し得るプリオンタンパク質遺伝子発現の検出方法、検出用キット、検出試薬、検出用装置、プリオン病の治療に有用なプリオンタンパク質発現の抑制剤、プリオン病予防および／または治療薬、治療方法、ならびに、抑制方法を提供することを目的としている。
【０００６】
【課題を解決するための手段】
一般に、変異型のヤコブ病および狂牛病では、異常型プリオンタンパク質の摂取によって感染すると考えられている。しかし、異常型プリオンタンパク質を摂取しても、必ずしも発症するわけではない。この理由としては、免疫力、遺伝的多型、異常型プリオンタンパク質の発現量の違いなどが考えられている。
【０００７】
本発明者らは、このような点に着目し、プリオン病の発病のメカニズムを解明すべく、正常型プリオンタンパク質の遺伝子の発現がどのように制御され、どのような状況で変化するかという観点から研究を行ってきた。その結果、正常型のプリオンを作る遺伝子が大半の細胞にあるＧＡＰＤＨという酵素の発現と関係が深いことを突き止めた。また、一般にプリオンタンパク質は、脳に多く存在していることが知られているが、脳以外にも、人間の肝臓がん由来細胞およびマウス胎児肝などに高発現していることを見出している。
【０００８】
このような状況下、本発明者らは、プリオン病の感染メカニズムを解明すべく研究を重ねたところ、人間の肝臓がん細胞や胎児の腎臓の細胞でこの酵素を増やす物質を加えると、プリオン遺伝子の発現量が増え、逆に、プリオン遺伝子が多く存在する脳腫瘍細胞にこの酵素の量を減らす物質を加えると、同遺伝子の発現量が減少することを見出した。また、さらに、ＧＡＰＤＨの塩基性アイソフォームと酸性アイソフォームの存在量によって、正常型プリオンタンパク質を作る遺伝子の発現量が相違することを新たに見出した。本発明は、このような知見に基づいて、完成するに至ったものである。
【０００９】
すなわち、本発明に係るプリオンタンパク質遺伝子発現の検出方法は、ヒトまたは動物由来組織中のグリセルアルデヒド−３−リン酸デヒドロゲナーゼ（ＧＡＰＤＨ）の酸性アイソフォーム（ａｃｉｄｉｃ　ｉｓｏｆｏｒｍ）および塩基性アイソフォーム（ｂａｓｉｃ　ｉｓｏｆｏｒｍ）を検出する工程を含むことを特徴としている。
【００１０】
前記検出工程としては、たとえば、ヒトまたは動物由来組織から得られる被検細胞より核タンパク質を分画し、当該核タンパク質を二次元電気泳動にかけた後、ウェスタンブロット法により検出を行う工程が挙げられる。
【００１１】
本発明の検出用キットは、上記の検出方法に用いられるキットであって、少なくとも抗ＧＡＰＤＨ抗体を含むことを特徴としている。
【００１２】
本発明の検出試薬は、プリオンタンパク質遺伝子発現の検出のための試薬であり、また、ＧＡＰＤＨの酸性アイソフォームおよび塩基性アイソフォームを検出するための試薬であって、抗ＧＡＰＤＨ抗体を含むことを特徴としている。
【００１３】
本発明の検出用装置は、上記の検出方法に用いられる装置であって、ＧＡＰＤＨの酸性アイソフォームおよび塩基性アイソフォームを検出するための二次元電気泳動装置および／またはブロッティング装置を含むことを特徴としている。
【００１４】
本発明に係るプリオンタンパク質発現の抑制剤は、ＧＡＰＤＨの酸性アイソフォームを減少させ、および／または塩基性アイソフォームを増加させることを特徴としている。
【００１５】
本発明の抑制剤によれば、ＧＡＰＤＨの酸性アイソフォームを減少させ、および／または塩基性アイソフォームを増加させることで、正常型プリオンタンパク質の発現を抑制することができ、正常型プリオンタンパク質の発現量が減るので、異常型プリオンタンパク質が正常型プリオンタンパク質に感染することによる異常型プリオンタンパク質の増加も抑制することができる。
【００１６】
上記抑制剤は、たとえばＧＡＰＤＨのアンチセンス薬剤またはデプレニルを有効成分とすることが好ましい。
【００１７】
本発明に係るプリオン病の予防および／または治療薬は、上記抑制剤を含むことを特徴としている。本発明のプリオン病の予防および／または治療薬は、プリオン病発症遅延薬であってもよい。
【００１８】
本発明に係る治療方法は、プリオン病の予防および／または治療薬を用いることを特徴としている。
【００１９】
本発明に係るプリオンタンパク質発現の抑制方法は、ＧＡＰＤＨの塩基性アイソフォームおよび／または酸性アイソフォームの量を調節することを特徴としている。具体的には、本発明の抑制方法は、ＧＡＰＤＨの酸性アイソフォームを減少させ、および／または塩基性アイソフォームを増加させることで、正常型プリオンタンパク質の発現を抑制することができる。
【００２０】
【発明の実施の形態】
本発明のプリオンタンパク質遺伝子発現の検出方法は、ヒトまたは動物由来組織中のグリセルアルデヒド−３−リン酸デヒドロゲナーゼ（ＧＡＰＤＨ）のアイソフォームを検出する工程を含んでいる。
【００２１】
ここで、プリオンタンパク質遺伝子発現の検出とは、プリオンタンパク質の発現および／またはプリオンタンパク質のｍＲＮＡの発現の検出をいう。
【００２２】
上記ＧＡＰＤＨのアイソフォームには、酸性アイソフォーム（ａｃｉｄｉｃ　ｉｓｏｆｏｒｍ）と塩基性アイソフォーム（ｂａｓｉｃ　ｉｓｏｆｏｒｍ）があることが知られている（Ａｎｎ　Ｈｕｍ．　Ｇｅｎｅｔ．，　４０，　６７−７７　１９７６参照）。
【００２３】
本発明の検出方法は、ＧＡＰＤＨの酸性アイソフォームおよび／または塩基性アイソフォームを検出することにより行われるが、ＧＡＰＤＨの酸性アイソフォームおよび塩基性アイソフォームの両方を検出することが好ましい。
【００２４】
ＧＡＰＤＨのアイソフォームの検出工程は、たとえば、ヒトまたは動物由来組織から得られる被検細胞より核タンパク質を分画し、当該核タンパク質を二次元電気泳動にかけた後、ウェスタンブロット法により酸性アイソフォームおよび塩基性アイソフォームを検出することにより行われる。
【００２５】
ＧＡＰＤＨは、一般に、核外の細胞質に多く見られる（Ｍｏｌｅｃｕｌａｒ　ｐｈａｒｍａｃｏｌｏｇｙ，　５７：２−１２（２０００）参照）。しかしながら、本発明者らの研究により、細胞質中のＧＡＰＤＨとプリオンタンパク質遺伝子の発現との間には、相関関係があまり見られず、核内のＧＡＰＤＨとプリオンタンパク質遺伝子発現との間に特に深い相関関係が見られることを新たに見出している。したがって、本発明の検出方法では、核内のＧＡＰＤＨのアイソフォームを検出することが望ましい。
【００２６】
核タンパク質の分画、二次元電気泳動、ウェスタンブロット法による検出は、従来公知の方法であり、たとえばＪ．　Ｂｉｏｌ．　Ｃｈｅｍ．，　２５０，　４００７−４０２１　１９７５　などに記載の方法にしたがって、それぞれ行うことができる。
【００２７】
本発明の方法によれば、たとえば、ＧＡＰＤＨの酸性アイソフォームと塩基性アイソフォームを検出し、その発現量を比較することにより、正常型プリオンタンパク質遺伝子が高発現しているか、または、低発現しているかを検出することができる。
【００２８】
正常型プリオンタンパク質遺伝子を直接検出することも可能であるが、一般に遺伝子の量には、個体差があるので、正常型プリオンタンパク質遺伝子を直接検出することにより、高発現をしているか低発現をしているかを判断するのは的確性に欠ける場合がある。しかし、本発明の方法によれば、ＧＡＰＤＨの酸性および塩基性アイソフォームの発現量を検出することにより正常型プリオンタンパク質遺伝子の発現量が検出できるので、個体差に左右されずに、的確に正常型プリオンタンパク遺伝子が高発現しているか、低発現しているかの検出が可能となる。
【００２９】
より具体的には、ＧＡＰＤＨの酸性アイソフォームと塩基性アイソフォームを検出することにより、酸性アイソフォームの発現量が、塩基性アイソフォームの発現量よりも多い場合には、正常型プリオンタンパク質遺伝子が高発現していると判別し得る。また、塩基性アイソフォームの発現量が、酸性アイソフォームの発現量よりも多い場合には、正常型プリオンタンパク質遺伝子が低発現していると判別し得る。発現量の比較は、二次元電気泳動後にウェスタンブロット法で検出したゲル写真により、目視により判断がなされてもよく、または、画像解析装置などにより、酸性アイソフォームと塩基性アイソフォームの各発現量を定量的に測定することにより、比較してもよい。
【００３０】
以下に、図１および図２を例にとり、さらに具体的に説明する。
【００３１】
ＩＭＲ−３２細胞（ｎｅｕｒｏｂｌａｓｔｏｍａ）では、図１にみられるように、酸性アイソフォームより塩基性アイソフォームの発現量が多く、ＰｒＰｍＲＮＡの発現量は低い（図２参照）。また、Ａ１７２細胞（ｇｌｉｏｂｌａｓｔｏｍａ）では、酸性アイソフォームが非常に多く現れており（図１参照）、塩基性アイソフォームはほとんど検出されず、ＰｒＰｍＲＮＡの発現量が多い（図２参照）。本発明では、このように、ＧＡＰＤＨの酸性アイソフォームと塩基性アイソフォームとの相対量と、ＰｒＰｍＲＮＡの発現量の相関関係を利用して、酸性アイソフォームと塩基性アイソフォームの量を比較することにより、正常型プリオンタンパク質遺伝子の発現を検出することができ、また、正常型プリオンタンパク質遺伝子の発現量を予測することができる。
【００３２】
ところで、本発明者らの研究により、一般に、正常な細胞であるなら、プリオンタンパク質を検出し得ない場所でも、癌化した場合には、プリオンタンパク質の発現が見られる場合もあることが見出されている。このことから、本発明のプリオンタンパク質の検出方法は、癌細胞の検出等に応用できる可能性がある。
【００３３】
本発明の検出用キットは、本発明の検出方法に用いられるキットであって、少なくとも抗ＧＡＰＤＨ抗体を含んでいる。また、たとえば、精製ヒトＧＡＰＤＨ等のウェスタンブロットによる検出の際に用いられる標準物質が含まれていることが好ましい。
【００３４】
本発明に用いられる検出試薬としては、ＧＡＰＤＨの酸性アイソフォームおよび塩基性アイソフォームを検出するための試薬であればよく、具体的には、抗ＧＡＰＤＨ抗体を含む試薬が用いられる。
【００３５】
本発明の検出用装置は、本発明の検出方法に用いられる装置であって、ＧＡＰＤＨの酸性アイソフォームおよび塩基性アイソフォームを検出するための二次元電気泳動装置および／またはブロッティング装置を含んでいる。
【００３６】
本発明のプリオンタンパク質発現の抑制剤は、ＧＡＰＤＨの塩基性アイソフォームを増加させる作用がある物質、酸性アイソフォームを減少させる作用がある物質、あるいは、塩基性アイソフォームを増加させ、かつ酸性アイソフォームを減少させる作用がある物質であればいずれであってもよい。
【００３７】
このような作用を有する抑制剤は、たとえば、ＧＡＰＤＨのアンチセンス薬またはデプレニルなどを有効成分としている。
【００３８】
ここで、一般に、アンチセンス薬とは、アンチセンス治療に使用される薬剤であって、細胞内にあるターゲットのポリヌクレオチドに結合する外来性オリゴヌクレオチドのことをいう。本発明に用いられるアンチセンス薬としては、具体的には、ＧＡＰＤＨ　ａｎｔｉｓｅｎｓｅ　ｏｌｉｇｏｎｕｃｌｅｏｔｉｄｅ　（ＧＡＰＤＨ　ＡＳ）を用いることができる。ＧＡＰＤＨ　ＡＳは、ＧＡＰＤＨをコードする遺伝子（ＤＮＡ）（以下、ＧＡＰＤＨ遺伝子という。ＧＡＰＤＨ遺伝子の配列は、たとえば、Ｃａｎｃｅｒ　Ｒｅｓ．，４７（２１），　５６１６−５６１９（１９８７）に記載されている。）に相補的なＤＮＡをいう。ただし、必ずしもＧＡＰＤＨ遺伝子の全長に相当する相補的配列を有する必要はない。すなわち、本発明で用いられるＧＡＰＤＨ　ＡＳは、ＧＡＰＤＨ遺伝子に相補的な配列であれば、本発明の効果を達成し得るかぎり、いずれの鎖長であってもよい。
【００３９】
このような中でも、特に、下記の配列を有するものが好ましい。
【００４０】
2004081034.tif 000002
なお、ＧＡＰＤＨ　ＡＳは、公知物質であり、たとえば、シグマジェノシスジャパン（株）より入手可能である。
【００４１】
また、デプレニルは、たとえば、Ｊ．　Ｂｉｏｌ．　Ｃｈｅｍ．，　２７３（１０），　５８２１−８　１９９８，　Ｊ．Ｎｅｕｒｏｃｈｅｍ．，　７２（３），　９２５−９３２　１９９９，　Ｍｏｌ．　Ｐｈａｒｍａｃｏｌ．，　５７（１），　２−１２　２０００　に記載の方法により入手可能である。
【００４２】
本発明のプリオン病の予防および／または治療薬は、上記抑制剤を含むものである。
【００４３】
また、上記プリオン病の予防および／または治療薬は、プリオン病発症遅延薬であってもよい。なお、現在、プリオン病治療の一つのアプローチとして、ＰｒＰｃの発現量がプリオン病の潜伏期を規定するなどの理由から、遺伝子治療による正常型プリオンタンパク質の発現制御も有効な試みと考えられており、かかる点からも本発明の予防および／または治療薬は有望である。
【００４４】
本発明の予防および／または治療薬の投与は、経口、または、非経口（例：皮下、静脈内、筋肉内、または、経皮）ルートにより行うことができる。また、投与量（有効成分量）は、受体の年齢、健康状態および体重、合併症、投与時間、投与方法、他の治療が行われている場合には同時治療の種類、動物に投与する場合は投与する動物の種類等によって定められる。
【００４５】
本発明のプリオン病予防および／または治療薬は、本発明の効果を損なわない限り、いかなる剤型をとっていてもよい。具体的には、経口投与としては、固体又は液体の剤型、たとえば、錠剤、被覆錠剤、丸剤、細粒剤、顆粒剤、散剤、カプセル剤、シロップ剤、乳剤、懸濁剤、注射剤等が挙げられる。また、非経口投与としては、たとえば、注射用製剤、点滴剤などが挙げられる。
【００４６】
錠剤等の製剤の場合は、製剤分野において常用される賦型剤（例えば、乳糖、白糖、デンプン、マンニトール等）を用いて製造でき、注射等の製剤の場合は、大豆レシチン等の天然界面活性剤、又はポリソルベート、ポリオキシエチレン硬化ヒマシ油等の合成界面活性剤等を用いて乳化又は可溶化して製造することができる。
【００４７】
本発明のプリオン病予防および／または治療薬中には、本発明の効果を損なわない範囲で、必要に応じて、さらに通常医薬品に含まれる成分が含まれていてもよい。具体的には、酸化防止剤、結合剤（例えば、α化デンプン、アラビアゴム、カルボキシメチルセルロース、ポリビニールピロリドン、ヒドロキシプロピルセルロース等）、崩壊剤（例えば、炭酸カルシウム、カルボキシメチルセルロースカルシウム等）、滑沢剤（例えば、タルク、ステアリン酸マグネシウム、ポリエチレングリコール６０００等）、着色剤、矯味剤、矯臭剤等を含有していてもよい。
【００４８】
ところで、プリオンタンパク質は、銅結合蛋白であり、銅含量が豊富な脳に多く存在している。また、本発明者らの研究により、プリオンタンパク質は正常脳以外のがん細胞などの腫瘍細胞にも多く発現していることが認められている。すなわち、プリオンタンパク質は、神経活動や細胞増殖におけるエネルギー代謝に関連した蛋白である可能性が高いと考えられる。したがって、このようなエネルギー代謝に関連した、プリオンタンパク質が高発現している場所に局所的に本発明の予防および／または治療薬を投与すれば、さらなる薬効が期待できる可能性がある。
【００４９】
具体的には、ヒト正常脳、正常ヒトアストロサイト（ＨＡＣ）、ヒト脳腫瘍由来Ｔ９８Ｇ細胞、Ａ１７２細胞、ＨｅｐＧ２細胞、胎児マウスの肝細胞、成熟マウスの肝細胞の組織にプリオンタンパク質が存在することが確認されており、このような場所に移行する薬剤であることが好ましい。また、このような場所に、局所的に投与してもよい。
【００５０】
なお、たとえば、デプレニルは、脳に移行する薬剤である。しかし、プリオン病の初期では、脳だけでなく、末梢においても、異常プリオンの増殖の可能性が考えられる。したがって、本発明の予防薬および／または治療薬は、プリオン病の予防あるいは治療効果を達成し得る限り、必ずしも、脳だけに移行する薬剤あるいは剤型に限定されないことはいうまでもない。
【００５１】
本発明の治療方法は、上記プリオン病の予防および／または治療薬が用いられる。
【００５２】
本発明に係るプリオンタンパク質発現の抑制方法は、ＧＡＰＤＨの塩基性アイソフォームおよび／または酸性アイソフォームの量を調節することにより行われる。具体的には、ＧＡＰＤＨの酸性アイソフォームを減少させ、および／または塩基性アイソフォームを増加させることで、正常型プリオンタンパク質の発現を抑制することができる。
【００５３】
【実施例】
以下、実施例により本発明を更に具体的に説明するが、本発明はその要旨を越えない限り、これらの実施例に何ら制限されるものではない。
［実験で用いた材料］
ＧＡＰＤＨ　ａｎｔｉｓｅｎｓｅ（ＧＡＰＤＨ　ＡＳ）：シグマジェノシスジャパン（株）
ＩＭＲ−３２：財団法人ヒューマンサイエンス研究資源バンクより入手、神経芽細胞腫Ａ−１７２：財団法人ヒューマンサイエンス研究資源バンクより入手、神経膠芽腫
Ｔ９８Ｇ：財団法人ヒューマンサイエンス研究資源バンクより入手、神経膠芽腫
ＨｅｐＧ２細胞：東北大学加齢医学研究所医用細胞資源センターより入手、
ヒト肝癌由来細胞
［実験で用いた装置］
二次元電気泳動装置：アトー（株）社製、装置名　ラピダス・ミニスラブ電気泳動槽
ブロッティング装置：Ｏｗｌ　Ｓｅｐａｒａｔｉｏｎ　Ｓｙｓｔｅｍｓ　Ｉｎｃ．製　装置名　Ｐａｎｔｈｅｒセミドライエレクトロブロッター
［実施例１］
核タンパク質の分画方法
コンフレントの状態のＩＭＲ−３２細胞を、氷冷したＰＢＳ、次いでＡ　ｂｕｆｆｅｒ（注１）で洗浄した後、Ｂ　ｂｕｆｆｅｒ（注２）を加え、セルスクレイパーで細胞をかき集めた後、２０００　ｒｐｍ、２０秒間遠心した。沈殿にｓｕｃｒｏｓｅ　ｂｕｆｆｅｒ（注３）を加え、２０００　ｒｐｍ、２０秒間遠心した。得られた沈殿にＤ　ｂｕｆｆｅｒ（注４）を加え、３０分間ボルテックスミキサーで懸濁し、１４００　ｒｐｍ、１５分間遠心した。得られた上清を核タンパク質抽出液とした。
（注１）　Ａ　ｂｕｆｆｅｒ
１０　ｍＭ　Ｎ−２−ヒドロキシエチルピペラジン−Ｎ＿−２−エタンスルホン酸（ＨＥＰＥＳ：和光純薬工業（株））（ｐＨ７．６）、１５　ｍＭ　ＫＣｌ、２　ｍＭ　ＭｇＣｌ２、０．１　ｍＭ　エチレンジアミン四酢酸（ＥＤＴＡ）、１　ｍＭ（±）−ジチオトレイトール（ＤＴＴ：和光純薬工業（株））、０．５　ｍＭ　フェニルメチルスルホニルフルオライド（ＰＭＳＦ：和光純薬工業（株））、１０　μｇ／ｍＬ　ロイペプチン（和光純薬工業（株））を含む。なお、　ＤＴＴ、ＰＭＳＦ、ロイペプチンは使用直前に添加した。
（注２）　Ｂ　ｂｕｆｆｅｒ
Ａ　ｂｕｆｆｅｒに終濃度が０．２％になるようにＮｏｎｉｄｅｔ　Ｐ−４０（第一化学薬品工業（株））を溶解した。
（注３）　ｓｕｃｒｏｓｅ　ｂｕｆｆｅｒ
０．２５　Ｍ　スクロース、１０　ｍＭ　ＨＥＰＥＳ（ｐＨ７．６）、１５　ｍＭ　ＫＣｌ、２　ｍＭ　ＭｇＣｌ２、０．１　ｍＭ　ＥＤＴＡ、１　ｍＭ　ＤＴＴ、０．５　ｍＭ　ＰＭＳＦ、１０　μｇ／ｍＬ　ロイペプチンを含む。なお、　ＤＴＴ、ＰＭＳＦ、ロイペプチンは使用直前に添加した。
（注４）　Ｄ　ｂｕｆｆｅｒ
５０　ｍＭ　ＨＥＰＥＳ（ｐＨ７．９）、４００　ｍＭ　ＫＣｌ、０．１　ｍＭ　ＥＤＴＡ、１０％グリセリン、１　ｍＭ　ＤＴＴ、０．５　ｍＭ　ＰＭＳＦ、１０　μｇ／ｍＬ　ロイペプチンを含む。なお、　ＤＴＴ、ＰＭＳＦ、ロイペプチンは使用直前に添加した。
二次元電気泳動およびウェスタンブロット法による検出
▲１▼　核タンパク質抽出液の調製
核タンパク質抽出液を２　ｍｇ／ｍＬとなるように調製し、ＫＣｌを含まないＤ　ｂｕｆｆｅｒに対し一晩透析を行った。
▲２▼　等電点電気泳動法
ゲル化溶液（注１）を作製し、調製した核タンパク質抽出液（１０　μｇ）をのせ、その上から試料保護液（注２）と陰極用電極液（注３）を順に重層し、電気泳動（泳動開始：５０Ｖ　３０〜６０分間、１００Ｖ　３０〜６０分間、１５０Ｖ　１２０〜１８０分間、泳動終了：２５０Ｖ　３０〜６０分間、ｒｕｎｎｉｎｇ　ｂｕｆｆｅｒ：陽極用電極液（注４）、陰極用電極液）を行った。電気泳動終了後、平衡化ｂｕｆｆｅｒ（注５）により平衡化を３０分間行った。
（注１）　ゲル化溶液
保存用アクリルアミド溶液（注６）　２．５　ｍＬ、グリセリン　０．７５　ｍＬ、ＡｍｐｈｏｌｉｎｅｐＨ３−１０（日本バイオ・ラッド　ラボラトリーズ（株））０．２５　ｍＬ、滅菌ミリＱ水　０．７　ｍＬ、１０％　ＡＰＳ　３５　μＬ、ＴＥＭＥＤ　５　μＬを混合して作製した。
（注２）　試料保護液
グリセリン　０．１　ｍＬ、Ａｍｐｈｏｌｉｎｅ　ｐＨ３−１０　を５　μＬ含む液を調製した。
（注３）　陰極用電極液
０．１％水酸化ナトリウム溶液を用いた。
（注４）　陽極用電極液
０．０６％リン酸溶液を用いた。
（注５）　平衡化ｂｕｆｆｅｒ
６２．５　ｍＭ　Ｔｒｉｓ−ＨＣｌ（ｐＨ６．８）、２．３％　ＳＤＳ、１０％グリセリン、５％　β−ＭＥを含む。
（注６）　保存用アクリルアミド溶液
アクリルアミド（和光純薬工業（株））９．７　ｇ、Ｎ，Ｎ＿−メチレンビスアクリルアミド（和光純薬工業（株））０．３　ｇを含む保存用アクリルアミド溶液を調製し、遮光して保存した。
▲３▼　１０％　ＳＤＳ−ｐｏｌｙａｃｒｙｌａｍｉｄｅ　ｅｌｅｃｔｒｏｐｈｏｒｓｉｓ（ＰＡＧＥ）
１０％　ＳＤＳ−ＰＡＧＥを作製し、そこに平衡化したゲルをのせ、電気泳動（濃縮ゲル（注１）：２０ｍＡ、分離ゲル（注２）：４０ｍＡ、ｒｕｎｎｉｎｇ　ｂｕｆｆｅｒ：Ｔｒｉｓ−ｇｌｙｃｉｎｅ　ｂｕｆｆｅｒ（注３））を行った。電気泳動終了後、濃縮ゲルを切り離し、ｔｒａｎｓｆｅｒ　ｂｕｆｆｅｒ（注４）により平衡化を５分間、２回行った。
（注１）　濃縮ゲル
アクリルアミドストック溶液　０．７９　ｍＬ、０．５　Ｍ　Ｔｒｉｓ−ＨＣｌ（ｐＨ６．８）　１．２５　ｍＬ、滅菌ミリＱ水　２．８９　ｍＬ、１０％　ＳＤＳ　５０　μＬ、１０％過硫酸アンモニウム（ＡＰＳ：和光純薬工業（株））３４　μＬ、Ｎ，Ｎ，Ｎ’，Ｎ’−テトラメチルエチレンジアミン（ＴＥＭＥＤ：和光純薬工業（株））１０　μＬを混合して作製した。
（注２）　分離ゲル
アクリルアミドストック溶液　５．３　ｍＬ、１．５　Ｍ　Ｔｒｉｓ−ＨＣｌ（ｐＨ８．８）　４　ｍＬ、滅菌ミリＱ水　６．４５　ｍＬ、１０％　ＳＤＳ　１６０　μＬ、１０％　ＡＰＳ　１０６　μＬ　、ＴＥＭＥＤ　１６μＬを混合して作製した。
（注３）　Ｔｒｉｓ−ｇｌｙｃｉｎｅ　ｂｕｆｆｅｒ
２５　ｍＭ　Ｔｒｉｓ、１９２　ｍＭ　グリシン、０．１％　ＳＤＳを含む。
（注４）　ｔｒａｎｓｆｅｒ　ｂｕｆｆｅｒ
２５　ｍＭ　Ｔｒｉｓ、１９２　ｍＭ　グリシン、１０％メタノールを含む。
▲４▼　ウェスタンブロット法によるＧＡＰＤＨの検出
平衡化したゲルをセミドライ法によりｔｒａｎｓｆｅｒ　ｂｕｆｆｅｒ中でポリビニリデンジフルオライド膜（ＰＶＤＦ：日本エイドー（株））に転写した（１００ｍＡ、３時間）。転写終了後、膜を５％スキムミルクを含むＰＢＳＴ（注１）を用いて１時間ブロッキングした。ブロッキング終了後、抗ＧＡＰＤＨ抗体（Ｂｉｏｇｅｎｅｓｉｓ，　Ｉｎｃ．）を１時間結合させ、ＰＢＳＴを用いて５分間、２回洗浄した。次いでアルカリフォスファターゼ標識抗マウスＩｇＧ（Ｈ＋Ｌ）（プロメガ（株））を１時間結合させ、ＰＢＳＴを用いて５分間、３回洗浄した。０．１　Ｍ　Ｔｒｉｓ（ｐＨ９．５）を用いて５分間リンスした後、ＣＤＰ−Ｓｔａｒ（登録商標）Ｗｅｓｔｅｒｎ　Ｂｌｏｔ　Ｃｈｅｍｉｌｕｍｉｎｅｓｃｅｎｃｅ　Ｒｅａｇｅｎｔ（ＮＥＮ　Ｌｉｆｅ　Ｓｃｉｅｎｃｅ　Ｐｒｏｄｕｃｔｓ，　Ｉｎｃ．）で５分間室温でインキュベートした。インキュベート後、フィルム（アマシャム　バイオサイエンス（株））に露光させた。
【００５４】
結果を図１に示す。図１に示したように、ＩＭＲ−３２細胞（ｎｅｕｒｏｂｌａｓｔｏｍａ）では、酸性アイソフォームより塩基性アイソフォームの発現量が多かった。
（注１）　ＰＢＳＴ
５０　ｍＭ　ＮａＨ２ＰＯ４・２Ｈ２Ｏ（ｐＨ７．４）、１５４　ｍＭ　ＮａＣｌ、０．０５％　Ｔｗｅｅｎ　２０（ＩＣＮ　Ｂｉｏｍｅｄｉｃａｌｓ　Ｉｎｃ．）を含むＰＢＳＴを調製した。
プリオンタンパク質の発現量（ｍＲＮＡ量）の測定
▲１▼　ｔｏｔａｌ　ＲＮＡ　の抽出およびＤＮａｓｅ処理
ＩＭＲ−３２細胞からのｔｏｔａｌ　ＲＮＡの抽出はＴＲＩＺＯＬ（登録商標）試薬（インビトロジェン（株））を用いて行った。混入したＤＮＡを分解するため、４０　μｇのｔｏｔａｌ　ＲＮＡ、１×ＤＮａｓｅ　ｂｕｆｆｅｒ、２０　ｕｎｉｔｓ　ＲＮａｓｅ　ｉｎｈｉｂｉｔｏｒ（ニッポンジーン（株））、および２　ｕｎｉｔｓ　ＤＮａｓｅ（ＲＴ　ｇｒａｄｅ：ニッポンジーン（株））を含む反応液（１００　μＬ）を、３７℃、１５分間反応させた。反応後、フェノール・クロロホルム処理をし、ｔｏｔａｌ　ＲＮＡをエタノール沈殿した。
▲２▼　ＲＴ−ＰＣＲ法を用いたＰｒＰ　ｍＲＮＡの検出
ＤＮａｓｅ処理した２　μｇのｔｏｔａｌ　ＲＮＡを６５℃、５分間熱変性させ、直ちに氷中で冷却した。逆転写には、２　μｇのｔｏｔａｌ　ＲＮＡ、１×ｒｅａｃｔｉｏｎ　ｂｕｆｆｅｒ、０．５　ｍＭ　ｄＮＴＰ（ニッポンジーン（株））、２．５　μＭ　ｐｒｉｍｅｒ　ｐ（ｄＴ）１５（ロシュ・ダイアグノスティックス（株））、あるいはｒａｎｄａｍ　ｐｒｉｍｅｒ（ロシュ・ダイアグノスティックス（株））、２０　ｕｎｉｔｓ　ＲＮａｓｅ　ｉｎｈｉｂｉｔｏｒ、２００　ｕｎｉｔｓ　Ｍ−ＭＬＶ　ｒｅｖｅｒｓｅ　ｔｒａｎｓｃｒｉｐｔａｓｅ（ＲｅｖｅｒＳｃｒｉｐｔＩ：ニッポンジーン（株））を含む反応液（２０　μＬ）を３７℃、１時間反応させた。逆転写反応後、９５℃、１５分間加熱してＲｅｖｅｒＳｃｒｉｐｔＩを失活させ、ｃＤＮＡを作製し、８０　μＬの滅菌ミリＱ水を加え、ｃＤＮＡ溶液とした。ＰＣＲには、５　μＬのｃＤＮＡ溶液、１×ｒｅａｃｔｉｏｎ　ｂｕｆｆｅｒ（プロメガ（株））、０．２　ｍＭ　ｄＮＴＰ、１．５　ｍＭ　ＭｇＣｌ２（プロメガ（株））、１　μＭ　プライマー（アマシャム　バイオサイエンス（株））および０．５　ｕｎｉｔｓ　Ｔａｑ　ＤＮＡ　ｐｏｌｙｍｅｒａｓｅ（プロメガ（株））を含む反応液（２０　μＬ）を調製した。サーマルサイクラー（ｉ　ｃｙｃｌｅｒ：日本バイオ・ラッド　ラボラトリーズ（株））を用い、９４℃、２分間の加熱を１回、続いて９４℃・３０秒間、６０℃・３０秒間、７２℃・１分間の条件でＰｒＰは２２　ｃｙｃｌｅｓ、ＧＡＰＤＨは１７　ｃｙｃｌｅｓ行い、７２℃で１０分間加温し、ＤＮＡ断片を増幅した。ＰＣＲ産物（２０　μＬ）から１０　μＬ　分取し、そこに６×ＤＮＡ　ｄｙｅ（注１）を２　μＬ　混合したサンプル溶液を調製した。このサンプル溶液とサイズマーカーとして１００　ｂｐのＤＮＡ　Ｌａｄｄｅｒ（Ｎｅｗ　Ｅｎｇｌａｎｄ　Ｂｉｏｌａｂｓ　Ｉｎｃ．）を２％アガロースゲル（１×ＴＡＥ（注２））にアプライし、電気泳動（１００Ｖ、ｒｕｎｎｉｎｇ　ｂｕｆｆｅｒ：１×ＴＡＥ）を行った。電気泳動終了後、エチジウムブロマイドで染色し、バンドを確認した。
【００５５】
なお、使用したプライマーの配列は、下記のとおりである。
2004081034.tif 000003
結果を図２に示す。
【００５６】
図２に示されるように、酸性アイソフォームより塩基性アイソフォームの発現量が少ない場合、プリオンタンパク質遺伝子の発現量が低いことが示された。
（注１）　６×ＤＮＡ　ｄｙｅ
３０％グリセリン、０．２５％ブロモフェノールブルー、０．２５％キシレンシアノールを含む。
（注２）　１×ＴＡＥ
トリスヒドロキシメチルアミノメタン（Ｔｒｉｓ：インビトロジェン（株））　２．４７　ｇ、氷酢酸　０．５７１　ｍＬ、０．５　Ｍ　ＥＤＴＡ　１　ｍＬを混合し、１×ＴＡＥ　５００　ｍＬを調製した。（注３）　プリオンタンパク質遺伝子の配列については、たとえば、ＤＮＡ，　５（４），
３１５−３２４（１９８６）に記載されている。
［実施例２］
ＩＭＲ−３２細胞（ｎｅｕｒｏｂｌａｓｔｏｍａ）の代わりにＡ１７２細胞（ｇｌｉｏｂｌａｓｔｏｍａ）を用いた以外は、実施例１と同様にＧＡＰＤＨの検出を行い、プリオンタンパク質の発現量（ｍＲＮＡ量）を測定した。
【００５７】
結果を図１および図２に示す。図１に示されるように、酸性アイソフォームの発現量の方が塩基性アイソフォームより非常に多かった。また、図２に示すように、酸性アイソフォームの発現量が塩基性アイソフォームの発現量より非常に多い場合、プリオンタンパク質遺伝子の発現量が高いことが示された。
【００５８】
上記実施例１および２より、ＧＡＰＤＨの酸性アイソフォームを多く発現している場合、プリオンタンパク質遺伝子の発現量が多く、ＧＡＰＤＨの塩基性アイソフォームを多く発現している場合、プリオンタンパク質遺伝子の発現量が少ないことが示された。この関係を利用すれば、ＧＡＰＤＨの酸性アイソフォームおよび塩基性アイソフォームの発現量を測定することにより、プリオンタンパク質遺伝子の発現量を予測し、検出することができる。
［実施例３］
▲１▼　ＧＡＰＤＨ　ｍＲＮＡのａｎｔｉｓｅｎｓｅ　ｏｌｉｇｏｎｕｃｌｅｏｔｉｄｅの細胞への導入
６穴プレートにＴ９８Ｇ細胞を撒き、コンフレントの５０〜８０％程度になるように培養した後、ＧＡＰＤＨ　ｍＲＮＡのａｎｔｉｓｅｎｓｅ　ｏｌｉｇｏｎｕｃｌｅｏｔｉｄｅ　ｐｈｏｓｐｈｏｒｏｔｈｉｏａｔｅ　（ＧＡＰＤＨ　ＡＳ：アマシャム　バイオサイエンス（株））　２　μｇをトランスフェクション試薬であるＦｕＧＥＮＥ６（ロシュ・ダイアグノスティックス（株））６　μＬと混和し、培養中の細胞に加えて細胞へ導入した。また、比較物質としてｓｅｎｓｅ配列のｏｌｉｇｏｎｕｃｌｅｏｔｉｄｅ　ｐｈｏｓｐｈｏｒｏｔｈｉｏａｔｅ　（ＧＡＰＤＨ　Ｓ）を同様に導入したものを準備した。なお、用いた配列は以下の通りである。
2004081034.tif 000004
▲２▼プリオンタンパク質の発現量（ｍＲＮＡ量）の測定
ＧＡＰＤＨ　ＡＳ導入４８時間後の細胞を用いた以外は、実施例１のプリオンタンパク質遺伝子（ｍＲＮＡ量）の発現量の測定と同様に行った。
【００５９】
また、ＧＡＰＤＨ　ＡＳの代わりに比較物質としてＧＡＰＤＨ　Ｓを導入した細胞、及び、コントロールとして、ＧＡＰＤＨ　ＡＳを加えなかった細胞についても同様に、プリオンタンパク質遺伝子の発現量を測定した。
【００６０】
結果を図３に示す。
【００６１】
図３ｂに示されるように、ＧＡＰＤＨ　ＡＳを加えた場合には、コントロール（ＧＡＰＤＨ　ＡＳ不添加）に比較して、酸性アイソフォームの量が減少した。また、図３ａに示されるように、比較物質としてＧＡＰＤＨ　Ｓを加えた場合には、プリオンタンパク質遺伝子（ＰｒＰ　ｍＲＮＡ）の発現量は、何も加えなかった場合（コントロール）と同等の量であったのに対し、ＧＡＰＤＨ　ＡＳを加えた場合には、プリオンタンパク質遺伝子（ＰｒＰ　ｍＲＮＡ）の発現量が抑制された。なお、図３ａ中、ＧＡＰＤＨ　ｍＲＮＡ及びβ−ａｃｔｉｎ　ｍＲＮＡは、コントロールである。
［実施例４］
ＨｅｐＧ２細胞にデプレニルを図４に記載の濃度で導入し、培養した。当該細胞について、プリオンタンパク質の発現量（ｍＲＮＡ量）を、実施例１のプリオンタンパク質の発現量（ｍＲＮＡ量）の測定に記述した方法と同様の方法により測定した。結果を図４に示す。
【００６２】
図４に示されるように、デプレニルを加えた場合には、プリオンタンパク質遺伝子の発現量が抑制された。なお、図４中、ＧＡＰＤＨ　ｍＲＮＡは、コントロールである。
【００６３】
【発明の効果】
本発明の検出方法によれば、的確に、正常プリオンタンパク質遺伝子の発現を検出することができる。
【００６４】
本発明のプリオンタンパク質発現の抑制剤によれば、正常プリオンタンパク質の発現を抑制することができ、プリオン病の予防および／または治療に有用である。また、たとえば、マラリア薬を使ったプリオン病の治療法といった他の治療法と併用することにより、さらなる治療効果が期待できると予想される。
【００６５】
【配列表】
2004081034.tif 000005
2004081034.tif 000006
【図面の簡単な説明】
【図１】ＩＭＲ−３２細胞とＡ１７２細胞を用いたときの核内ＧＡＰＤＨの発現を示したゲル電気泳動写真。
【図２】ＩＭＲ−３２細胞とＡ１７２細胞を用いたときのＰｒＰ遺伝子の発現を示したゲル電気泳動写真。
【図３】ＧＡＰＤＨ　ａｎｔｉｓｅｎｓｅ　ｏｌｉｇｏｎｕｃｌｅｏｔｉｄｅ　（ＧＡＰＤＨ　ＡＳ）導入によるＰｒＰ遺伝子の発現とＧＡＰＤＨの発現に対する影響を示したゲル電気泳動写真。
【図４】ＨｅｐＧ２細胞におけるＰｒＰ遺伝子の発現に及ぼすＧＡＰＤＨ核移行阻害剤（ｄｅｐｒｅｎｙｌ）の影響を示したゲル電気泳動写真。
【図１】
2004081034.tif 000007
【図２】
2004081034.tif 000008
【図３】
2004081034.tif 000009
【図４】
2004081034.tif 000010